(57)【要約】【課題】青果を切り分ける刀具とまな板を具え、全体を一体のデザインに統一した青果等の盛り篭。【解決手段】  盛り篭１、刀具２及び皿体３を組み合わせてなり、盛り篭の上部に設けられた刀具の鞘部と刀具の柄とは新芽などの一体デザインを構成し、  皿体は、まな板となる平面を構成すると共に、果物を切る際の果汁を受けて収集する凹溝３０を該平面を囲む環状に形成し、該盛り篭底部には該凹溝と嵌合する凸条１１を突設して該凹溝と嵌合させることによって、これらを一体に構成した盛り籠とする。【選択図】  図  １
2007244633.tif 000002
【特許請求の範囲】
【請求項１】
盛り篭、刀具及び皿体からなる青果等の盛り篭において、
前記盛り篭の上部に刀具を収納する鞘部を突出して形成すると共に、盛り篭の底部には環状の凸条を設けてなり、
前記刀具は、盛り篭の刀具の鞘部に挿設されてなり、
前記皿体は、まな板として上平面を形成すると共に果汁を受けて収集するための上平面を囲む環状の凹溝を形成し、
上記盛り篭底部の環状の突条を該凹溝に嵌合することにより、
これらを一体とした盛り篭を構成することを特徴とする青果等の盛り篭。
【請求項２】
前記刀具を収納する鞘部には刀具挿入孔を設けてなると共に、刀具の柄部と該鞘部とが一体化したデザインを構成してなることを特徴とする請求項１記載の青果等の盛り篭。
【発明の詳細な説明】
【技術分野】
【０００１】
本発明は、一種の青果等の盛り篭に関する。特に盛り篭、刀具及び皿体を組み合わせることによってなり、
前記盛り篭に刀具の鞘部を挿設することにより、盛り篭に盛り付けられた青果を食する際に、皿体を取り外し、盛り篭から取り出した青果を皿体の上部に置いた後に、盛り篭の刀具の鞘部から刀具を抜き出して青果を切り分けることが出来、さらに、切り分けた際に流出した汁を皿体で受けて凹溝で収集し、片付けるのに便利となる青果等の盛り篭に関する。
【背景技術】
【０００２】
公知の青果の盛り皿や盛り篭の多くは一体成型となる正方形や長方形、円形を呈した皿体或いは篭体であり、果物を置いたり、盛り付けたりすることに用いられる。また、青果を食する際には、盛り皿或いは盛り篭の中から青果を取り出してまな板の上に置いてから果物ナイフで切り分けられる。
公知のまな板は、ほとんどが平面な板体を呈してなり、果物を切り分ける際に果肉に含まれた果汁が流出してしまう。
そのため、通常は果物を載せる前にまな板の下に予め大量の新聞紙又は布巾を敷いて果肉や果汁が周辺に流れ出るのを防止し、さらに毎回青果を切り分けた後には、時間や手間を掛けてこれらの後片付けしなければならない。
加えて、まな板や果物ナイフはそれぞれ個別の場所に収納されているため、使用の際にはそれぞれ分けて取り出す必要があり、また使用後には各場所に戻さなければならないため、非常に手間が係り、不便であった。
【特許文献１】特開２００３−１３５２５６号公報
【発明の開示】
【発明が解決しようとする課題】
【０００３】
公知構造には以下の欠点があった。
すなわち青果を食する際には、盛り皿或いは盛り篭の中から青果を取り出してまな板の上部に置いてから果物ナイフで切り分けなければならないにも関わらず、公知のまな板はほとんどが平面な板体を呈しているため、果物を切り分ける際に果肉に含まれた汁が流出してしまう。
そのため、通常は果物を来る前にまな板の下に予め大量の新聞紙又は布巾を敷き、果肉や果汁が周辺に流れ出るのを防止しなければならず、さらに毎回青果を切り分けた後には、時間や手間を掛けて後片付けをしなければならない。
加えて、まな板や果物ナイフはそれぞれ個別の場所に収納されているため、使用の際にはそれぞれ分けて取り出す必要があり、さらに使用後には各場所に戻さなければならないため、非常に手間が係り、不便である。
本発明は、上述の問題点を解決した青果等の盛り篭を提供する。
【課題を解決するための手段】
【０００４】
上部記課題を解決するため、本発明は以下の青果等の盛り篭を提供する。
それは主に盛り篭の上部に突出した刀具の鞘部を具え、底部には凸条を突設してなる盛り篭であり、
前記盛り篭の刀具の鞘部の上部に挿設されてなる刀具及び上部に凹溝が埋設された前記盛り篭の底部に置かれる皿体によって組み合わされた構造であり、
且つ皿体はまな板として使用されることが可能であり、さらに盛り篭に刀具を挿設することにより、取り出しと収納が便利な刀具と皿体を提供することが出来ることが特徴となる青果等の盛り篭である。
【０００５】
すなわち、請求項１の発明は主に盛り篭、刀具及び皿体からなる青果等の盛り篭において、前記盛り篭の上部には突出した刀具の鞘部があり、盛り篭の底部には突出した凸条が突設されてなり、前記刀具は盛り篭の刀具の鞘部に挿設されてなり、前記皿体には凹溝が埋設され、盛り篭の底部に置かてなり、これにより、盛り篭に盛り付けられた青果を食する際に、予め皿体を取り外し、盛り篭から取り出した青果を皿体の上部に置いた後に、盛り篭の刀具の鞘部から刀具を抜き出して青果を切り分ける。また、切り分けた際に流出した汁は皿体の凹溝で集結させることができるため、後片付けるのに便利であり、取り出しと収納が便利な刀具と皿体を提供することを特徴とする青果等の盛り篭である。
【０００６】
請求項２の発明は、前記刀具插座には挿し込み孔が設けてなり、さらに刀具には柄部が設けられなり、刀具は挿し込み孔に挿設されてなり、柄部は刀具の鞘部の上部に設けられることを特徴とする請求項１記載の青果等の盛り篭である。
【発明の効果】
【０００７】
上記したように、本発明は主に上部には突出した刀具の鞘部を、底部には凸条を突設してなる盛り篭、前記盛り篭の刀具の鞘部上部に挿設されてなる刀具及び上部に凹溝が埋設された前記盛り篭の底部に置かれる皿体によって組み合わされた構造により、皿体はまな板として使用されることを可能とし、さらに盛り篭に刀具を挿設することにより、取り出しと収納が便利な刀具と皿体を提供し、盛り篭に盛り付けられた青果を食する際に、皿体を取り外し、盛り篭から取り出した青果を皿体の上部に置いた後に、盛り篭の刀具の鞘部から刀具抜き出して青果を切り分けることが出来、さらに、切り分けた際に流出した汁を皿体の凹溝で集結させ、後片付けるのに便利となる。
こうして、従来のそれぞれ個別の場所に収納されたまな板や果物ナイフを、使用の際にはそれぞれ分けて取り出し、使用後には各場所に戻さなければならないという手間と不便を解消するという効果を有する。
【発明を実施するための最良の形態】
【０００８】
本発明の好適な青果等の盛り篭の構造を図面を参照して説明する。
図１に示されるように、主に盛り篭１、刀具２及び皿体３からなる。
該盛り篭１の中心において上に向って突出した刀具の鞘部１０を設けてなり、さらに盛り篭１の底部には凸条１１が突設されてなり、
前記刀具の鞘部１０には挿し込み孔１００を設けてなる。
前記刀具２は、盛り篭１の刀具の鞘部１０の上に挿設されてなり、
刀具２の上方には柄部２０が形成されている。
前記皿体３は、盛り篭１の底部に置かれ、さらに皿面３の上面には凹溝３  ０が形成されていて、盛り篭１を載置するとき該凸条１１と相互に嵌合し  て安定を図ることが出来る。
【０００９】
図１〜３に示されるようにこれらを組合せる時は、刀具２を盛り篭１の刀具の鞘部（刀具插座）１０の挿し込み孔１００に挿入してセットし、刀具２の柄部２０を刀具の鞘部１０の形状と組合わせたデザインとすることにより、例えば、刀具２の柄部２０が盛り篭１の刀具の鞘部１０と組み合わされて、ちょうど新芽の芯のデザインを呈するようにして斬新なビジュアルの美感を形成することが出来る。
さらに、前記皿体３を盛り篭１の底部に敷くことにより、前記盛り篭１  の凸条１１と前記皿体３の凹溝３０を嵌合させることにより定位し、全体  の組み立てを完成させる。
【００１０】
図２〜４に示されるように、盛り篭１内に盛り付けられた青果Ａを食するときには、予め盛り篭１から皿体３を取り外し、次に盛り篭１内から青果Ａを取り出して前記皿体３の上に載せ、さらに刀具２を盛り篭１の刀具の鞘部１０から抜き取って使用し、青果Ａの切り分けを行う。また、青果Ａを切り分ける際に流出する汁は前記皿体３の凹溝３０によって受けて収集させることが可能であり、周囲に流れ出ないようにして、後片付けを楽にすることが出来る取り出しと収納が便利な刀具と皿体を提供する青果等の盛り篭である。
なお、本考案の特徴を損なうものでなければ、前述した実施例に限定されるものでないことは勿論である。
【図面の簡単な説明】
【００１１】
【図１】本発明の立体分解図である。
【図２】本発明の立体組み立て図である。
【図３】本発明の使用状態の参考図（一）である。
【図４】本発明の使用状態の参考図（二）である。
【符号の説明】
【００１２】
１      盛り篭
１０    刀具の鞘部
１００  挿し込み孔
２      刀具
２０    柄部
３      皿体
３０    凹溝
Ａ      青果
【図１】
2007244633.tif 000003
【図２】
2007244633.tif 000004
【図３】
2007244633.tif 000005
【図４】
2007244633.tif 000006